(57)【要約】【課題】  電力供給線と信号伝送線により接続された複数個の回路ブロックを有する回路構成において、上記複数の接続線をどのような組合わせで誤接続が生じた場合においても、回路部品を破損させない空気調和機システムを提供する。【解決手段】  室外側電気品としてＡ、Ｂ端子間およびＣ、Ｄ端子間におのおのに開閉器を設け、商用電源が本来接続されるべきＬ、Ｎ端子以外に接続された場合には、室外電気品が動作しないようにする。原理としては、電源線が、Ａ、Ｂ端子もしくはＣ、Ｄ端子に接続されると、室外側電気品内の回路路の一部である、開閉器のコイルに印加するための電源が立ち上がらないため、おのおのに設けた開閉器が開状態となり、空気調和機は停止するため基板破損などには至らず保護することが可能となる。【選択図】  図１
2007113856.tif 000002
【特許請求の範囲】
【請求項１】
商用電源からの電力を電源線を介し供給するユニットと対になるユニットで構成され、おのおのユニット間を電力供給線および信号伝送線により接続されている空気調和機において、前記商用電源から電力を供給するユニット側の電源線、電力供給線、信号伝送線３接続線の誤接続が生じた場合、電力供給線と信号伝送線おのおのの回路を遮断し、回路部品の破壊を防止する手段を設けることを特徴とする空気調和機。
【請求項２】
商用電源から電力を供給するユニットと対になるユニット側に、電力供給線および信号伝送線の誤接続が生じた場合、信号伝送線の回路を遮断し、回路部品の破壊を防止する手段を設けることを特徴とする請求項１の空気調和機。
【発明の詳細な説明】
【技術分野】
【０００１】
本発明は、ノイズフィルタ回路、信号伝送回路、制御回路などを有する複数の回路を２種類以上の接続線で接続して成る制御システムに係り、特に据え付け時の誤接続による回路破損を防止する保護回路に関するものである。
【背景技術】
【０００２】
本発明の対象となる従来の方式を、回転数制御セパレート形空気調和機を例とし、図４の回転数制御セパレート形空気調和機の室外充電系統図例を用いて以下に説明する。端子Ｌ、Ｎ、Ｃ、Ｄの右側は室外側電気品で、端子Ｃ´、Ｄ´の左側は室内側電気品であり、両電気品を２芯ケーブル（Ｃ´−Ｃ，Ｄ´−Ｄ）で接続している。室外側端子L、Ｎに商用電源から電力を供給するための電源線（以下、電源線と称す。）を接続し、インバータ装置などに電力を供給している。また、室内外を接続している信号伝送線(Ｃ´−Ｃ，Ｄ´−Ｄケーブル。以下、信号伝送線と称す。)においては、室外側電気品の電源回路から直流電源が室内側電気品に供給され、かつ室内外のインターフェイス回路により、動作モード、回転数などの制御信号を前記直流電源に重畳させ伝送されている。室外側の端子は各接続線により決まっており、接続する端子を誤ると、回路の一部を破損する。その誤接続保護のために、信号入力端子Ｃ、Ｄ（以下、Ｃ、Ｄ端子と称す。）間に開閉器を設けるようにした。原理として電源線が、Ｃ、Ｄ端子に、信号伝送線が電力端子Ｌ、Ｎ（以下、Ｌ、Ｎ端子と称す。）に接続された場合、電力端子Ｌ、Ｎに商用電源から電力が供給されないため、室外側電気品内の回路路の一部である、開閉器のコイルに印加するための電源が立ち上がらないので、開閉器の接点が開状態となり、Ｃ、Ｄ端子間は開放状態となる。従って、Ｃ、Ｄ端子に電源線が接続されても、電流が流れることなく、インターフェイス回路などを保護することを可能とした。
【０００３】
また、空気調和機の機種構成において、図５の回転数制御セパレート形空気調和機の室内、室外間の配線図例に示すような、室外側に商用電源からの電源線、室外側からノイズフィルタ回路を介し室内側に電力を供給するための電力供給線(Ａ−Ａ´、Ｂ−Ｂ´ケーブル。以下、電力供給線と称す。)、室内外を接続している信号伝送線の６芯ケーブルが接続される端子Ｌ、Ｎ、Ａ、Ｂ、Ｃ、Ｄを有する機種も存在する。
【０００４】
【特許文献１】特開平７−０６９０７２号公報
【発明の開示】
【発明が解決しようとする課題】
【０００５】
本発明は据え付作業において複数本接続線を有する空気調和機において、各端子の接続を誤ると、回路部品を破損してしまう問題が発生する。例えば、電力供給線を室内側に電力を供給するための電力供給端子Ａ、Ｂ（以下、Ａ、Ｂ端子と称す。）に、電力供給線を電力端子Ｌ、Ｎに接続すると、商用電源からＡ、Ｂ端子に電力が供給され電流容量の少ないノイズフィルタ回路を介し、圧縮機運転用の大電流が流れてしまう。従って、ノイズフィルタ回路の素子および基板パターンなどの破損してしまう。また、信号伝送線がＡ、Ｂ端子に、室内側に電力を供給するための電力供給線がＣ、Ｄ端子に接続されると、室内側電気品は電力不足のため回路を動作させるための電源は立ち上がらないが、インターフェイス回路に室内用の電力が供給されてしまうため、室内側、室外側の基板が破損などの問題が発生する。
【０００６】
前記課題は、室外側の各端子における誤接続に関し例を上げ説明したが、室内側電気品に備えてある、室外機からの電力供給線が接続される電力端子Ａ´、Ｂ´（以下、Ａ´、Ｂ´端子と称す。）、信号伝送線が接続されるＣ´、Ｄ´（以下、Ｃ´、Ｄ´端子と称す。）に、おのおのの接続線を誤って逆に接続してしまった場合、室内側電気品は電力不足のため回路を動作させるための電源が作動し無いため動作はしないが、インターフェイス回路に室内用の電力が供給されてしまい、室内側、室外側の基板が破損などの問題なども発生する。
【０００７】
製品において、注意札やケーブル種類を明示するシール等を同梱しているが、誤配線の恐れは完無ではなかった。
【０００８】
本発明は、このような従来の構成が有していた問題を解決しようとするものであり、電力供給線と信号伝送線により接続された複数個の回路ブロックを有する回路構成において、上記複数の接続線をどのような組み合わせで誤接続が生じた場合においても、回路部品を破損せず、上記制御システムを保護することを目的とする。
【課題を解決するための手段】
【０００９】
本発明は上記目的を達成するために、室外側電気品としてＡ、Ｂ端子間およびＣ、Ｄ端子間におのおのに開閉器を設け、商用電源が本来接続されるべきＬ、Ｎ端子以外に接続された場合には、室外電気品が動作しないようにする。原理としては、電源線が、Ａ、Ｂ端子もしくはＣ、Ｄ端子に接続されると、室外側電気品内の回路路の一部である、開閉器のコイルに印加するための電源が立ち上がらないため、おのおのに設けた開閉器が開状態となり、空気調和機は停止するため基板破損などには至らず保護することが可能となる。
【００１０】
また、室内側電気品においても、Ｃ´、Ｄ´端子間に開閉器を設け、室内側で誤接続が生じた場合、室内電気品が動作しないようにする。原理としては、室外機電気品の保護と同様に、電力供給線が、Ｃ´、Ｄ´端子に、信号伝送線がＡ´、Ｂ´端子に接続されると、室内側電気品内の回路路の一部である、Ｃ´、Ｄ´端子間に設けた開閉器のコイルに印加するための電源が立ち上がらないため、開閉器が開状態となり、空気調和機は停止するため基板破損などには至らず保護することが可能となる。
【発明の効果】
【００１１】
上述したように本発明は、据え付け作業において想定される全ての誤接続に対し、室内外双方の基板および回路部品などを破損することなく、基板および回路部品を保護できる空気調和機を提供できる。
【発明を実施するための最良の形態】
【００１２】
本発明の第一の実施例について、図面を参照しながら説明する。
【００１３】
図１本発明の空気調和機における誤接続防止システム図に本発明のシステムを示す。セパレート式の室外受電方式の空気調和機において、商用電源１からの電源線１１をＬ、Ｎ端子に接続し、室外のノイズフィルタ基板２に電力が供給される。前記ノイズフィルタ基板２はノイズフィルタ回路が２段式になっている。１段目は室内外共用のノイズフィルタであり、２段目は室内専用のノイズフィルタとなっており、その出力をＡ、Ｂ端子に接続し、電力供給線１２を介して、室内側電気品のＡ´、Ｂ´端子に接続することにより室内側電気品に電力を供給している。また、信号伝送線13により室外側電気品の電源回路から直流電源が室内側電気品に供給され、かつ室内外のインターフェイス５、７回路により、動作モード、回転数などの制御信号を前記直流電源に重畳させ伝送されている。
【００１４】
そこで、本発明において誤接続防止として、商用電源１からの電源線１１が本来接続されるべきＬ、Ｎ端子に接続された場合のみ、室外側電気品を動作させることにした。方法として、Ａ、Ｂ端子間に開閉器９およびＣ、Ｄ端子間に開閉器８を設け、商用電源１からの電源線Ｘが本来接続されるべきＬ、Ｎ端子に接続されることにより、開閉器のコイル８ａ、９ａ、９ｃに印加するための電源が立ち上がり、おのおのに設けた開閉器の接点８ｂ、９ｂ、９ｄが閉状態となり、室内側電気品に電力および伝送信号を供給する回路構成とした。従って、図２の本発明における空気調和機の室外側誤接続図に示すように、電源線１１が本来接続されるべきＬ、Ｎ以外に接続された場合には、室外側電気品内の回路の一部である、開閉器のコイル８ａ、９ａ、９ｃに印加するための電源が立ち上がらないため、おのおのに設けた開閉器の接点８ｂ、９ｂ、９ｄが開状態となり、空気調和機は停止するため基板および回路部品の破損などには至らず保護することが可能となる。
【００１５】
尚、各接続線の誤接続に関する組合せにおいては、表１の空気調和機の据付時、想定した誤接続モード表に示すように、各誤接続の組合せにおいて、基本的には室外側電気品の電源が立ち上がらないため、空気調和機は停止している。故に、基板および回路部品の破損などには至らず保護することが可能となる。
【００１６】
【表１】
2007113856.tif 000003
【００１７】
また、室内側電気品における誤接続防止として、室外側電気品からの電力供給線１２が本来接続されるべきＡ´、Ｂ´端子に接続された場合のみ、室内側電気品を動作させることにした。方法として、Ｃ´、Ｄ´端子間に開閉器１０を設け、電力供給線１２が本来接続されるべきＡ´、Ｂ´端子に接続に接続されることにより、開閉器１０のコイル１０ａに印加するための電源が立ち上がり、開閉器１０の接点１０ｂが閉状態となり、室内側電気品が動作する回路構成とした。従って、図３の本発明における空気調和機の室内側誤接続図に示すように、電力供給線１２が、Ｃ´、Ｄ´端子に、信号伝送線１３がＡ´、Ｂ´端子に接続されると、室内側電気品内の回路路の一部である、Ｃ´、Ｄ´端子間に設けた開閉器１０のコイル１０ａに印加するための電源が立ち上がらないため、開閉器１０の接点１０ｂが開状態となり、空気調和機は運転しないので基板破損などには至らず保護することが可能となる。
【００１８】
本実施例は外受電方式のシステムを説明したが、内受電方式のシステムにも同様に活用することができる。
【００１９】
また、本実施例において回路を遮断する手段として開閉器を用い説明したが、電流ヒューズなどを用いても可とする。
【図面の簡単な説明】
【００２０】
【図１】本発明の空気調和機における誤接続防止システム図。
【図２】本発明における空気調和機の室外側誤接続図。
【図３】本発明における空気調和機の室内側誤接続図。
【図４】回転数制御セパレート形空気調和機の室外充電系統図例。
【図５】回転数制御セパレート形空気調和機の室内、室外間の配線図例。
【符号の説明】
【００２１】
１…商用電源、２…ノイズフィルタ基板、５…室内インーフェス回路、７…室外インターフェス回路、８…室外Ｃ端子の開閉器、８ａ…開閉器のコイル、８ｂ…開閉器の接点、９…室外Ａ端子及びＢ端子の開閉器、９ａ、９ｃ…開閉器のコイル、９ｂ、９ｄ…開閉器の接点、１０…室内側Ｃ´端子の開閉器、１０ａ…開閉器のコイル、１０ｂ…開閉器の接点、１１…商用電源からの電源線、１２…室外側から室内側に電源供給する電力供給線、１３…室内−室外間の信号伝送線。
【図１】
2007113856.tif 000004
【図２】
2007113856.tif 000005
【図３】
2007113856.tif 000006
【図４】
2007113856.tif 000007
【図５】
2007113856.tif 000008